(57)【要約】【課題】  複数種類の画像形成装置に対応した制御プログラムを記憶し、接続した画像形成装置の機種に応じた制御プログラムを起動して、画像形成装置のＵＩ画面を端末措置の表示部に表示する端末装置および端末装置における画像形成装置のユーザインタフェース表示制御方法を提供する【解決手段】  端末装置２０は、端末装置外部接続Ｉ／Ｆ２４を介して接続可能な画像形成装置Ａ１０のＵＩ画面を入出力装置Ｉ／Ｆ２５を介して表示部２６に表示するための表示制御プログラム２８１、画像形成装置ＵＩ表示プログラム２８２を端末装置ＨＤＤ２８に記憶し、外部表示制御プログラム１６２の制御によって通知される状態情報１３１、動作モード１３２に応じた、画像形成装置ＵＩ表示プログラム２８２を選択して起動し、動作モード１３２に応じたＵＩ画面を表示部２６に表示する。【選択図】  図１
2006092302.tif 000002
【特許請求の範囲】
【請求項１】
画像形成装置と接続可能な接続手段を有する端末装置において、
前記画像形成装置に対応する該画像形成装置のユーザインタフェース画面を表示するユーザインタフェース表示プログラムを格納するユーザインタフェース表示プログラム格納手段と、
前記接続手段により接続された画像形成装置の動作モードを検出する動作モード検出手段と、
前記動作モード検出手段で検出された画像形成装置の動作モードに基づき前記ユーザインタフェース表示プログラム格納手段に格納されたユーザインタフェース表示プログラムを起動して該動作モードに対応する該画像形成装置のユーザインタフェース画面を表示する表示制御手段と
を具備することを特徴とする端末装置。
【請求項２】
前記動作モード検出手段で選択される動作モードは、
前記画像形成装置の動作パラメータを設定する設定モードおよび前記画像形成装置の故障処理を行う故障モードを含む
ことを特徴とする請求項１記載の端末装置。
【請求項３】
前記動作モード検出手段は、
前記接続手段により接続された画像形成装置から読み出した情報に基づき自動検出する
ことを特徴とする請求項１記載の端末装置。
【請求項４】
前記ユーザインタフェース表示プログラム格納手段は、
前記接続手段で接続可能な画像形成装置の機種に対応して複数のユーザインタフェース表示プログラムを格納し、
前記表示制御手段は、
前記接続手段で接続可能な画像形成装置から該画像形成装置の機種を判別する判別手段と、
前記判別手段で判別した機種に基づき前記ユーザインタフェース表示プログラム格納手段から当該画像形成装置の機種に対応するユーザインタフェース表示プログラムを読み出す読出し手段と
を具備し、
前記動作モード検出手段で検出手段で検出された画像形成装置の動作モードに基づき前記読出し手段で読み出したユーザインタフェース表示プログラムを起動して該動作モードに対応する該画像形成装置のユーザインタフェース画面を表示する
ことを特徴とする請求項１乃至３のいずれかに記載の端末装置。
【請求項５】
画像形成装置と接続可能な接続手段を有する端末装置における画像形成装置のユーザインタフェース表示制御方法において、
前記画像形成装置に対応する該画像形成装置のユーザインタフェース画面を表示するユーザインタフェース表示プログラムをユーザインタフェース表示プログラム格納手段に格納し、
前記接続手段により接続された画像形成装置の動作モードを動作モード検出手段により検出し、
前記動作モード検出手段で検出された画像形成装置の動作モードに基づき前記ユーザインタフェース表示プログラム格納手段に格納されたユーザインタフェース表示プログラムを起動して該動作モードに対応する該画像形成装置のユーザインタフェース画面を表示制御手段により表示する
ことを特徴とする端末装置における画像形成装置のユーザインタフェース表示制御方法。
【発明の詳細な説明】
【技術分野】
【０００１】
本発明は、端末装置および端末装置における画像形成装置のユーザインタフェース表示制御方法に関する。
【背景技術】
【０００２】
ローエンドの画像形成装置は、表示部分の小さな操作パネルにてＵＩ画面を表示する構成となっている。
【０００３】
これにより、複数の設定項目に対してそれぞれのパラメータを選択して設定する設定作業においては、表示のスクロール操作等が設定項目ごとに発生して、操作性が悪く、作業効率が低いといった問題が生じた。
【０００４】
この問題を解決するための技術として、接続した端末装置に画像形成装置のＵＩ画面を表示する特許文献１に記載の「処理装置の制御システム」が開示されている。
【０００５】
この特許文献１の発明は、画像形成装置に複数の外部接続端末に対応した制御プログラムを記憶し、端末装置の種類、もしくは、機種に対応する制御プログラムを端末装置に送信し、端末装置の表示部に対して画像形成装置のＵＩ画面を表示するものである。
【特許文献１】特開平０８−１６０８１１号。
【発明の開示】
【発明が解決しようとする課題】
【０００６】
ところで、上記特許文献１にて開示された技術を使用して、画像形成装置に複数種類の端末装置に対応した制御プログラムを記憶する構成を考えた場合、プログラムを格納するＲＯＭ（Ｒｅａｄ Ｏｎｌｙ Ｍｅｍｏｒｙ）の容量によって、記憶可能な制御プログラムの種類がおのずと、制限されてしまうといった問題が生じる。
【０００７】
また、現実的には、画像形成装置を保守する場合、同一のサービスマンが複数種類の機種を一人で担当する傾向にあり、一台のノート型パソコン等のモバイル端末を保守端末として複数種類の画像形成装置に接続して作業を行うケースが多い。
【０００８】
したがって、画像形成装置が複数の端末装置に対応するよりも、端末装置が複数種類の画像形成装置に対応することが望ましい。
【０００９】
さらに、最近では、モバイル端末のディスク容量も大容量化が進んでいるため、画像形成装置のＲＯＭ等に比べて十分余裕のある記憶容量を端末装置側に確保することが可能である。
【００１０】
よって、本発明は、複数種類の画像形成装置に対応した制御プログラムを記憶し、接続した画像形成装置の機種に応じた制御プログラムを起動して、画像形成装置のＵＩを端末装置の表示部に表示することが可能な端末装置および端末装置における画像形成装置のユーザインタフェース表示制御方法の提供を目的とする。
【課題を解決するための手段】
【００１１】
上記目的を達成するために、請求項１の発明は、画像形成装置と接続可能な接続手段を有する端末装置において、画像形成装置に対応する該画像形成装置のユーザインタフェース画面を表示するユーザインタフェース表示プログラムを格納するユーザインタフェース表示プログラム格納手段と、接続手段により接続された画像形成装置の動作モードを検出する動作モード検出手段と、動作モード検出手段で検出された画像形成装置の動作モードに基づきユーザインタフェース表示プログラム格納手段に格納されたユーザインタフェース表示プログラムを起動して該動作モードに対応する該画像形成装置のユーザインタフェース画面を表示する表示制御手段とを具備する。
【００１２】
また、請求項２の発明は、請求項１の発明において、動作モード検出手段で選択される動作モードは、画像形成装置の動作パラメータを設定する設定モードおよび画像形成装置の故障処理を行う故障モードを含むことを特徴とする。
【００１３】
また、請求項３の発明は、請求項１の発明において、動作モード検出手段は、接続手段により接続された画像形成装置から読み出した情報に基づき自動検出することを特徴とする。
【００１４】
また、請求項４の発明は、請求項１乃至３のいずれかの発明において、ユーザインタフェース表示プログラム格納手段は、接続手段で接続可能な画像形成装置の機種に対応して複数のユーザインタフェース表示プログラムを格納し、表示制御手段は、接続手段で接続可能な画像形成装置から該画像形成装置の機種を判別する判別手段と、判別手段で判別した機種に基づきユーザインタフェース表示プログラム格納手段から当該画像形成装置の機種に対応するユーザインタフェース表示プログラムを読み出す読出し手段とを具備し、動作モード検出手段で検出された画像形成装置の動作モードに基づき読出し手段で読み出したユーザインタフェース表示プログラムを起動して該動作モードに対応する該画像形成装置のユーザインタフェース画面を表示することを特徴とする。
【００１５】
また、請求項５の発明は、画像形成装置と接続可能な接続手段を有する端末装置における画像形成装置のユーザインタフェース表示制御方法において、画像形成装置に対応する該画像形成装置のユーザインタフェース画面を表示するユーザインタフェース表示プログラムをユーザインタフェース表示プログラム格納手段に格納し、接続手段により接続された画像形成装置の動作モードを動作モード検出手段により検出し、動作モード検出手段で検出された画像形成装置の動作モードに基づきユーザインタフェース表示プログラム格納手段に格納されたユーザインタフェース表示プログラムを起動して該動作モードに対応する該画像形成装置のユーザインタフェース画面を表示制御手段により表示することを特徴とする。
【発明の効果】
【００１６】
本発明の端末装置および端末装置における画像形成装置のユーザインタフェース表示制御方法によれば、
（１）画像形成装置のユーザインタフェース（以降「ＵＩ」と称す）画面を、端末装置の大きな表示部に表示する構成とすることによって、画像形成装置の操作パネルよりも多くの情報を端末装置の画面上に表示することができる。
【００１７】
これにより、設定作業、障害解析作業等の保守操作における作業効率を向上させることができる。
【００１８】
（２）端末装置側に制御プログラムを記憶する構成にしたので、画像形成装置側においては、端末装置へのＵＩ表示を制御するためのプログラムを必要最小限のサイズにおさえ、ＵＩ画面のレイアウト変更等が発生しても、画像形成装置側の改修作業を行うことなく、端末装置の制御プログラムの改修のみで対応することができ、改修費用を必要最少限に抑えることができる。
【００１９】
（３）複数の機種に対応した外部制御プログラムを記憶する構成にしたので、各機種毎に端末装置を設けることなく、１台の装置で複数の機種に対応することができる。
【００２０】
よって、保守対象範囲を拡大することができるので、専用の保守用端末を不要として無駄な保守費用を削減することができる。
【発明を実施するための最良の形態】
【００２１】
本発明の端末装置および端末装置における画像形成装置のユーザインタフェース表示制御方法に関する実施の形態について添付図面を参照しながら説明する。
【００２２】
図１は、本発明に関する画像形成装置、および、端末装置の制御構成を示すブロック図である。
【００２３】
図１において、画像形成装置Ａ１０は、画像形成装置を操作する図２に示すような操作パネル１２を有する。
【００２４】
端末装置２０は、持ち運びが可能で、操作パネル１２よりも大きな表示部を有した端末装置である。
【００２５】
また、端末装置２０は、画像形成装置１０の機種毎に対応した外部表示制御プログラムを複数記憶することが可能なＨＨＤ（ハードディスク）２８等の大容量の記憶手段を有する。
【００２６】
図２において、操作パネル１２は、方向キー１２１、決定ボタン１２２、メニューボタン１２３、操作パネル表示部１２４を有する。
【００２７】
方向キー１２１は、メニューボタン１２３の押下毎に、操作パネル表示部１２４に表示される各種操作メニューにおいて、スクロールや選択項目へのフォーカス移動などを操作するためのボタンである。
【００２８】
操作パネル表示部１２４は、３行程度の文字ベースにて各種情報を表示するユーザインタフェースである。
【００２９】
端末装置２０は、操作パネル表示部１２４よりも大きな表示部２６を有し、画像形成装置Ａ１０に接続して、画像形成装置における設定操作（以後、「設定モード」と称す）、画像形成装置の故障解析を行う（以後、「故障モード」と称す）際の第２のユーザインタフェースとして機能する表示制御機能を有する。
【００３０】
端末装置２０の表示部２６に表示される画面としては、図３に示すように、動作モード選択画面６１、故障モード端末装置ＵＩ表示画面６２、設定モード端末装置ＵＩ表示画面６３がある。
【００３１】
図３は、端末装置２０の表示部２６に表示される画像形成装置Ａ１０のＵＩ表示画面の代表的な例をそれぞれ示した図である。
【００３２】
図３において、動作モード選択画面６１は、画像形成装置Ａ１０において、「設定モード」、「故障モード」を端末装置２０から画像形成装置Ａ１０に対して指示するための入力指示画面である。
【００３３】
故障モード端末装置ＵＩ表示画面６２は、画像形成装置Ａ１０にデバイスエラーが発生した場合に、画像形成装置Ａ１０の操作パネル表示部１２４による文字情報では、認識が困難であるエラー対処方法を、装置の概略図、故障箇所などを、画像形成装置Ａ１０の外観図等と、復旧操作手順にてユーザに表示する画面である。
【００３４】
設定モード端末装置ＵＩ表示画面６３は、画像形成装置Ａ１０の「設定モード」における各種パラメータの設定、変更作業に必要な方向キー１２１、決定ボタン１２２、メニューボタン１２３等の煩雑な操作を解消するための画面であり、一度に複数の設定項目を表示して、保守員などは、少ない操作数で各種パラメータの設定作業を行うことができる画面である。
【００３５】
図１に戻り、端末装置２０は、画像形成装置Ａ１０のユーザインタフェースを表示する以外に、画像形成装置Ａ１０とは、異なる複数の機種に対応したユーザインタフェース表示機能を有する。
【００３６】
（画像形成装置の制御構成）
画像形成装置Ａ１０は、画像形成装置ＣＰＵ（Ｃｅｎｔｒａｌ Ｐｒｏｃｅｓｓｉｎｇ Ｕｎｉｔ）１１、操作パネル１２、ＲＡＭ（Ｒａｎｄｏｍ Ａｃｃｅｓｓ Ｍｅｍｏｒｙ）１３、画像形成部１４、操作パネルインターフェース１５、ＲＯＭ１６、端末装置接続インターフェース１７を有して構成される。
【００３７】
画像形成装置ＣＰＵ１１は、ＲＯＭ１６に記憶されたプログラム、制御パラメータをＲＡＭ１３にロードして実行して、画像形成部１４におけるコピー処理、プリント処理、操作パネルインターフェース１５を介して接続される操作パネル１２への表示制御処理、端末装置接続インターフェース１７を介して接続される端末装置２０との通信処理を制御する。
【００３８】
ＲＯＭ１６は、設定パラメータ一覧１６１、外部表示制御プログラム１６２、操作パネル表示制御プログラム１６３を記憶する不揮発性記憶手段である。
【００３９】
設定パラメータ一覧１６１は、「設定モード」において指定可能な各種設定パラメータに関する定義情報である。
【００４０】
外部表示制御プログラム１６２は、端末装置接続インターフェース１７を介して接続された端末装置２０にて、「設定モード」、「故障モード」の外部ユーザインタフェースを表示するために必要な、データ通信制御、デバイスの検出制御を行う。
【００４１】
操作パネル表示制御プログラム１６３は、従来の画像形成装置と同様に、操作パネルインターフェース１５を介して接続される操作パネル１２に対する表示制御を行い、操作パネル１２に対する入力操作を検出して画像形成装置ＣＰＵ１１に通知する。
【００４２】
ＲＡＭ１３は、画像形成装置Ａ１０が稼動状態にある場合、現在の画像形成装置Ａ１０の各部の状態を管理する状態情報１３１、動作モード１３２を一時的な記憶領域に記憶して管理する。
【００４３】
状態情報１３１の内容としては、例えば、画像形成装置Ａ１０に現在設定されている各種設定パラメータの情報、画像形成部１４各部の状態情報、印刷機能、コピー機能の処理状況に関する情報、デバイスエラーが発生した場合は、エラーコード等を記憶する。
【００４４】
動作モード１３２は、画像形成装置の動作モードとして、プリンタ／コピー機能を提供可能な「通常モード」、エラー発生時の「故障モード」、「設定モード」のいずれの状態が記憶される情報である。
【００４５】
画像形成部１４は、プリンタ機能、コピー機能を提供するための、画像処理部、画像形成部、画像読み取り装置を有し、画像形成装置ＣＰＵ１１にて制御されるとともに、各種センサ等によって検出されるデバイスエラーを画像形成装置ＣＰＵ１１に通知する。
【００４６】
操作パネルインターフェース１５は、操作パネル１２における入力操作を検出して画像形成装置ＣＰＵ１１に出力し、画像形成装置ＣＰＵ１１の制御によって受信した表示用データに基づいて操作パネル１２の操作パネル表示部１２４に表示するための出力データを生成して操作パネル１２に出力する。
【００４７】
一方、端末装置２０は、端末装置ＣＰＵ２１、端末装置ＲＡＭ２２、端末装置ＲＯＭ２３、端末装置外部接続Ｉ／Ｆ２４、入出力装置Ｉ／Ｆ２５を有して構成される。
【００４８】
端末装置ＣＰＵ２１は、端末装置ＲＯＭ２３あるいは端末装置ＨＤＤ２８に記憶された各種制御プログラム、制御パラメータを端末装置ＲＡＭ２２にロードして実行し、端末装置２０全体を統括制御する主制御手段である。
【００４９】
端末装置外部接続Ｉ／Ｆ２４は、画像形成装置Ａ１０等の端末装置と接続するＵＳＢ接続コネクタ等を介してデータの送受信を行う通信接続手段である。
【００５０】
端末装置ＨＤＤ２８は、表示制御プログラム２８１、状態情報一時記憶データ２８３、動作モード一時記憶データ２８４、設定パラメータ一時記憶データ２８５を記憶する。
【００５１】
表示制御プログラム２８１は、端末装置２０が、端末装置外部接続Ｉ／Ｆ２４を介して画像形成装置Ａ１０に接続した時の端末装置ＵＩ表示を制御するメインプログラムであ
る。
【００５２】
画像形成装置ＵＩ表示プログラム２８２は、端末装置２０が画像形成装置のＵＩ表示装置として機能するためのＵＩ表示制御プログラムである。
【００５３】
また、画像形成装置ＵＩ表示プログラム２８２は、端末装置２０が対応可能な画像形成装置の機種毎に複数記憶されており、接続した機種に応じた画像形成装置ＵＩ表示プログラム２８２が表示制御プログラム２８１から適宜よびだされて実行される。
【００５４】
状態情報一時記憶データ２８３は、端末装置２０が画像形成装置Ａ１０の外部ＵＩ画面表示装置として制御するために、端末装置外部接続Ｉ／Ｆ２４を介して受信した画像形成装置Ａ１０の状態情報１３１をコピーして一時的に記憶する情報である。
【００５５】
動作モード一時記憶データ２８４も同様に、画像形成装置Ａ１０から通知された動作モード１３２を記憶するための情報である。
【００５６】
設定パラメータ一時記憶データ２８５は、端末装置２０にて画像形成装置Ａ１０の「設定モード」の各種処理を行う場合に、設定モード端末装置ＵＩ表示画面６３における表示項目を表示する場合や、入力された設定パラメータの種別を、画像形成装置Ａ１０側と共通認識するために、画像形成装置Ａ１０のＲＯＭ１６からダウンロードして記憶し、参照される情報である。
【００５７】
次に、端末装置２０における画像形成装置のＵＩ外部表示制御について、画像形成装置Ａ１０、端末装置２０のそれぞれについてフローチャートを示して説明する。
【００５８】
（画像形成装置における処理フロー）
図４は、画像形成装置における表示制御を示すフロ−チャートである。
【００５９】
画像形成装置Ａ１０は、電源投入あるいは再起動操作を検出して起動処理を行い、動作モード１３２に通常モードを設定する（Ｓ１０１）。
【００６０】
通常モードで稼動の稼動中、端末装置２０の接続を端末装置接続インターフェース１７を介して検知した場合、画像形成装置ＣＰＵ１１は、設定パラメータ一覧１６１を参照して、動作モードの自動切換え設定が有効であるか否かを判断する（Ｓ１０２）
動作モードの自動切替え設定が有効である場合（Ｓ１０２ＹＥＳ）、画像形成装置ＣＰＵ１１は、自動的に「設定モード」に遷移し、動作モード１３２に設定モードに書換えを行い、外部表示制御プログラム１６２を起動する。
【００６１】
このとき、操作パネル１２においても、図５の（Ｃ）に示すように設定モードに移行したことを通知する表示画面の切替えを操作パネル表示制御プログラム１６３にて制御する（Ｓ１１２）。
【００６２】
一方、端末装置２０の接続を検知したものの、動作モードの自動切替え設定が設定パラメータ一覧１６１に設定されていない場合（Ｓ１０２ＮＯ）、画像形成装置Ａ１０は、「通常モード」にて稼動するが、端末装置２０が接続されている状態で、端末装置２０側にて、例えば、動作モード選択画面６１にてモード選択操作が行われた場合（Ｓ１０３ＹＥＳ）、もしくは、操作パネル１２において、例えば、図５の（Ａ）、（Ｂ）に示すような動作モードの設定操作が行われた場合（Ｓ１０４ＹＥＳ）、画像形成装置ＣＰＵ１１は、指定された動作モードの種別を判別する（Ｓ１１１）。
【００６３】
指定された動作モード種別が「故障モード」の場合（Ｓ１１１で故障モード）、画像形成装置ＣＰＵ１１は、設定パラメータ一覧１６１の内容を故障モードに切替えを行い、操作パネル１２の表示を故障モードの表示に変更し、端末装置２０が接続されている場合は、状態情報１３１、動作モード１３２を端末装置２０に通知して「故障モード」に遷移する（Ｓ１０６）。
【００６４】
指定された動作モードが「設定モード」の場合（Ｓ１１１で設定モード）、画像形成装置ＣＰＵ１１は、状態情報１３１を「設定モード」に書換え、操作パネル１２の表示を「設定モード」の表示に変更し（図５の（Ｂ））、端末装置２０が接続されている場合は、状態情報１３１、動作モード１３２を端末装置２０に送信して「設定モード」に遷移する（Ｓ１１２）。
【００６５】
また、画像形成装置Ａ１０が「通常モード」にて稼動中、画像形成部１４において、デバイスエラー等のエラーが発生した場合（Ｓ１０５ＹＥＳ）、画像形成装置ＣＰＵ１１は、状態情報１３１にデバイスエラーコードを設定し、操作パネル１２の表示を故障モードの表示に切替え、自動的に「故障モード」に遷移する（Ｓ１０６）。
【００６６】
また、端末装置２０が接続されている場合は、状態情報１３１にエラーコードを始めとする画像形成部１４の状態情報を設定して、動作モード１３２とともに端末装置２０に通知する。
【００６７】
（故障モードで稼動中の動作）
「故障モード」において（Ｓ１０６）、図３の故障モード端末装置ＵＩ表示画面６２の表示等にしたがって、エラー復旧操作が行われ、全てのエラーが解消されたことを画像形成部１４のセンサ等が検出すると、画像形成装置ＣＰＵ１１は、状態情報１３１の内容を正常状態に書換え、状態情報１３１の内容を「通常モード」に書換えて、操作/表示部パネル１２の表示を図５の（Ｄ）に変更し、通常モードに復帰する（Ｓ１１０）。
【００６８】
ここで、端末装置２０が接続されている場合（Ｓ１０８）、画像形成装置ＣＰＵ１１は、書き換えた状態情報１３１、「設定モード」に書換えた動作モード１３２を端末装置２０に通知して「設定モード」に遷移する。
【００６９】
（設定モードでの動作）
「設定モード」にて稼動中に（Ｓ１１２）、画像形成部１４における異常を検出した場合（Ｓ１１３ＹＥＳ）、画像形成装置ＣＰＵ１１は、動作モード１３２を「故障モード」に書換え、検出したエラーコードを含む現在の画像形成装置Ａ１０の状態を状態情報１３１に設定して、「故障モードに遷移する」し、端末装置２０が接続されている場合は、状態情報１３１、動作モード１３２を端末装置２０に通知する（Ｓ１０６）。
【００７０】
また、「設定モード」における各種設定操作を設定モード端末装置ＵＩ表示画面６３を使用して行っている状態で（Ｓ１１２）、例えば、設定モード端末装置ＵＩ表示画面６３の終了操作が行われた場合（Ｓ１１４ＹＥＳ）、あるいは、操作パネル１２において、設定モード操作の終了操作が行われた場合（Ｓ１１５ＹＥＳ）、画像形成装置ＣＰＵ１１は、指定されたモード手段を判別する（Ｓ１０９）。
【００７１】
指定されたモード種別が「通常モード」の場合（Ｓ１０９で通常モード）、画像形成装置ＣＰＵ１１は、状態情報１３１を「通常モード」に書換え、状態情報１３１を、「設定モード」時の操作内容に更新して、「通常モード」に遷移する（Ｓ１１２）。
【００７２】
指定されたモード種別が「雇用モード」の場合（Ｓ１０９で故障モード）、画像形成装置ＣＰＵ１１は、状態情報１３１を「故障モード」に書換え、状態情報１３１を、「故障モード」を示す画像形成装置のエラーの状態を示す内容に更新して「故障モード」に遷移する（Ｓ１０６）。
【００７３】
（端末装置における表示制御の処理フロー）
次に、端末装置２０側における画像形成装置Ａ１０のＵＩ画面表示制御について説明する。  図６は、端末装置２０における表示制御を示すフローチャートである。
【００７４】
端末装置ＣＰＵ２１は、画像形成装置Ａ１０への接続を端末装置外部接続Ｉ／Ｆ２４を介して検知すると（Ｓ２０１）、表示制御プログラム２８１を起動して画像形成装置Ａ１０の外部表示制御プログラム１６２との間にて、ＵＩ画面表示を行うための準備処理を行う（Ｓ２０２）。
【００７５】
画像形成装置Ａ１０との間において接続処理が完了すると、端末装置ＣＰＵ２１は、画像形成装置Ａ１０に対して、機種情報の問い合わせを行う（Ｓ２０３）。
【００７６】
画像形成装置Ａ１０からの機種情報を含んだ状態情報１３１を受信すると、端末装置ＣＰＵ２１は、状態情報１３１を解析して取得した画像形成装置Ａ１０の機種情報に対応する画像形成装置ＵＩ表示プログラム２８２が端末装置ＨＤＤ２８等の記憶手段にあるかを判断する（Ｓ２０４）。
【００７７】
対応する画像形成装置ＵＩ表示プログラム２８２が無い場合（Ｓ２０４ＮＯ）、端末装置ＣＰＵ２１は、未対応機種であることを表示部２６に表示するエラー処理を行い（Ｓ２１６９、表示制御プログラムによる表示制御処理を終了する。
【００７８】
対応する画像形成装置ＵＩ表示プログラム２８２がある場合（Ｓ２０４ＹＥＳ）、端末装置ＣＰＵ２１は、接続と同時に「設定モード」へ動作切替えを行う自動切換えの設定があるかを画像形成装置Ａ１０から受信した状態情報１３１に基づいて判断し（Ｓ２０６）、自動切換えモードでない場合（Ｓ２０６ＮＯ）、端末装置ＣＰＵ２１は、動作モード選択画面６１を表示部２６に出力して、選択操作を監視する（Ｓ２１７）。
【００７９】
自動切換え設定がある場合（Ｓ２０６ＹＥＳ）、端末装置ＣＰＵ２１は、画像形成装置Ａ１０に対して動作モードの問い合わせを行い（Ｓ２０７）、画像形成装置Ａ１０の動作モードの判別処理を行う（Ｓ２０８）。
【００８０】
画像形成装置Ａ１０から通知された動作モードが「通常モード」の場合（Ｓ２０８通常モード）、端末装置ＣＰＵ２１は、動作モード一時記憶データ２８４を「通常モード」に書換え、動作モード選択画面６１を表示部２６に表示する（Ｓ２１７）。
【００８１】
画像形成装置Ａ１０から通知された動作モードが「故障モード」の場合（Ｓ２０８故障モード）、端末装置ＣＰＵ２１は、動作モード一時記憶データ２８４を「故障モード」に書換え、画像形成装置Ａ１０から通知された状態情報１３１を状態情報一時記憶データ２８３にコピーし、状態情報一時記憶データ２８３のエラーコード等に基づいて作成した故障モード端末装置ＵＩ表示画面６２を表示部２６に表示する（Ｓ２０９）。
【００８２】
画像形成装置Ａ１０から通知された動作モードが「設定モード」の場合（Ｓ２０８設定モード）、端末装置ＣＰＵ２１は、動作モード一時記憶データ２８４を「設定モード」に書換え、画像形成装置Ａ１０から通知された状態情報１３１を状態情報一時記憶データ２８３にコピーし、状態情報一時記憶データ２８３に記憶された現在のパラメータ設定情報と、設定パラメータ一時記憶データ２８５の識別情報等に基づいて作成した設定モード端末装置ＵＩ表示画面６３を表示部２６に表示する（Ｓ２１２）。
【００８３】
（通常モードでのイベント処理）
表示部２６に動作モード選択画面６１が表示された状態（Ｓ２１７）で、動作モードの選択、あるいは、ボタン選択操作を入出力装置Ｉ／Ｆ２５を介して検知すると、端末装置ＣＰＵ２１は、操作内容を解析する（Ｓ２１８）。
【００８４】
故障モードが選択された場合（Ｓ２１８故障モード）、端末装置ＣＰＵ２１は、動作モード一時記憶データ２８４を「故障モード」に書換え、端末装置外部接続Ｉ／Ｆ２４を介して接続される画像形成装置Ａ１０に対して、「故障モード」への切替え要求を行い（Ｓ２１９）、画像形成装置Ａ１０から切替え完了応答を受信すると、表示部２６に故障モード端末装置ＵＩ表示画面６２を表示して「故障モード」に遷移する（Ｓ２０９）。
【００８５】
設定モードが選択された場合（Ｓ２１８設定モード）、端末装置ＣＰＵ２１は、動作モード一時記憶データ２８４を「設定モード」に書換え（Ｓ２２０）、端末装置外部接続Ｉ／Ｆ２４を介して接続される画像形成装置Ａ１０に対して、「設定モード」への切替え要求を行い、画像形成装置Ａ１０から切替え完了応答を受信すると、表示部２６に設定モード端末装置ＵＩ表示画面６３を表示して「設定モード」に遷移する（Ｓ２１２）。
【００８６】
動作モード選択画面６１の終了操作が行われた場合（Ｓ２１５ＹＥＳ）、端末装置ＣＰＵ２１は、メインメニューのモード選択画面にもとる（Ｓ２１８）。
【００８７】
（設定モードでのイベント処理）
設定モード端末装置ＵＩ表示画面６３が表示部２６に表示された状態（Ｓ２１２）で、画像形成装置Ａ１０の操作パネル１２にて故障モードへの切替え操作による故障モードへの移行指示を受信した場合（Ｓ２１３ＹＥＳ）、あるいは、画像形成装置Ａ１０から、エラー発生通知が状態情報１３１が送信された場合（Ｓ２１４ＹＥＳ）、端末装置ＣＰＵ２１は、状態情報一時記憶データ２８３に通知された状態情報１３１のエラー情報を設定し、動作モード一時記憶データ２８４を「故障モード」に書換えを行い、表示部２６に故障モード端末装置ＵＩ表示画面６２を表示して「故障モード」に遷移し、画像形成装置Ａ１０に対しては、「故障モード」への切替え完了を通知する（Ｓ２０９）。
【００８８】
設定モード端末装置ＵＩ表示画面６３が表示部２６に表示された状態（Ｓ２１２）で、画面の終了操作を検出した場合（Ｓ２１８ＹＥＳ））、端末装置ＣＰＵ２１は、動作モード一時記憶データ２８４を「通常モード」に書換え、画像形成装置Ａ１０に対して「通常モード」への切替え要求を送信して切替え完了応答を受信すると、動作モード選択画面６１を表示部２６に表示する（Ｓ２１７）。
【００８９】
（故障モードにおける復旧処理）
表示部２６に故障モード端末装置ＵＩ表示画面６２が表示された「故障モード」において（Ｓ２０９）、画像形成装置Ａ１０からエラー復旧通知を受信すると（Ｓ２１０でＹＥＳ）、端末装置ＣＰＵ２１は、動作モード一時記憶データ２８４を通常モードに書換え、状態情報一時記憶データ２８３のエラーコード等のエラー情報をクリアし、表示部２６に動作モード選択画面６１を表示して「通常モード」に復帰する（Ｓ２１７）。
【産業上の利用可能性】
【００９０】
本発明の端末装置および端末装置における画像形成装置のユーザインタフェース表示制御方法は、次に示す画像形成装置において利用可能である。
【００９１】
１）操作パネル等の小さな表示部を有した低価格の画像形成装置であり、一度に多くの情報を表示することが必要なパラメータの設定操作、故障モードにおけるエラー箇所の特定、復旧操作を、効率的に行うことが要求される画像形成装置。
【００９２】
２）端末装置におけるＵＩ画面表示機能を有する画像形成装置において、ＵＩ画面のレイアウト、表示項目の内容等、表示Ｉ／Ｆの規格が画像形成装置の機種毎に異なる場合、もしくは、ＵＩ画面レベルでのレイアウトを端末毎にカスタマイズすることが要求されている画像形成装置。
【００９３】
３）一台の保守端末で複数の機種に対応することが必要とされる、画像形成装置の保守端末。
【図面の簡単な説明】
【００９４】
【図１】本発明の画像形成装置と画像形成装置に接続可能な端末装置の制御構成を示すブロック図である。
【図２】画像形成装置の操作パネルの外観図。
【図３】端末装置の表示部に表示される、「動作モード選択画面」、「故障モード外部装置ＵＩ表示画面」、「設定モード外部装置ＵＩ表示画面」の例をそれぞれ示す画面イメージ。
【図４】画像形成装置における動作モードの切替え制御の例を示すフロ−チャート。
【図５】操作パネルから動作モードを設定するときの表示例を示す図。
【図６】端末装置におけるＵＩ画面表示制御の処理手順を示すフローチャート。
【符号の説明】
【００９５】
１０    画像形成装置Ａ、画像形成措置Ｂ、画像形成措置Ｘ
１１    画像形成装置ＣＰＵ
１２    操作パネル
１２１    方向キー
１２２    決定ボタン
１２３    メニューボタン
１２４    操作パネル表示部
１３    ＲＡＭ
１３１    状態情報
１３２    動作モード
１４    画像形成部
１５    操作パネルインターフェース
１６    ＲＯＭ
１６１    設定パラメータ一覧
１６２    外部表示制御プログラム
１６３    操作パネル表示制御プログラム
１７    端末装置接続インターフェース
２０    端末装置
２１    端末装置ＣＰＵ
２２    端末装置ＲＡＭ
２３    端末装置ＲＯＭ
２４    端末装置外部接続Ｉ／Ｆ
２５    入出力装置Ｉ／Ｆ
２８    端末装置ＨＤＤ
２８１    表示制御プログラム
２８２    画像形成装置ＵＩ表示プログラム
２８３    状態情報一時記憶データ
２８４    動作モード一時記憶データ
２８５    設定パラメータ一時記憶データ
２６    表示部  
２７    入力部
６１    動作モード選択画面
６２    故障モード端末装置ＵＩ表示画面
６３    設定モード端末装置ＵＩ表示画面
【図１】
2006092302.tif 000003
【図２】
2006092302.tif 000004
【図３】
2006092302.tif 000005
【図４】
2006092302.tif 000006
【図５】
2006092302.tif 000007
【図６】
2006092302.tif 000008